(57)【要約】【課題】騒音の少ないメカニズムを有するピックアップ装置におけるギアラック取付構造を実現させる。【解決手段】ピックアップ装置と、ピックアップ装置に装備され、ピックアップ装置を駆動可能なモータに備えられたリード軸に接するギアラック１０と、を備えたピックアップ装置におけるギアラック取付構造に関する。ピックアップ装置に対して止具で固定されることなくピックアップ装置にギアラック１０が備えられる。ピックアップ装置を構成するハウジングの側壁に、ギアラック１０の側板１１／１２が接触する。ピックアップ装置を支持するガイド軸を備え、ガイド軸がギアラック１０を構成する少なくとも一つの側板１１／１２を貫通する。リード軸に対して与圧を加える弾性部２０がギアラック１０に構成される。【選択図】図１
2012190508.tif 000002
【特許請求の範囲】
【請求項１】
ピックアップ装置と、
前記ピックアップ装置に装備され、前記ピックアップ装置を駆動可能なモータに備えられたリード軸に接するギアラックと、
を備えたピックアップ装置におけるギアラック取付構造であって、
前記ピックアップ装置に対して止具で固定されることなく前記ピックアップ装置に前記ギアラックが備えられる
ことを特徴とするピックアップ装置におけるギアラック取付構造。
【請求項２】
前記ピックアップ装置を構成するハウジングの側壁に、前記ギアラックの側板が接触する
ことを特徴とする請求項１に記載のピックアップ装置におけるギアラック取付構造。
【請求項３】
前記ピックアップ装置を支持するガイド軸を備え、
前記ガイド軸が前記ギアラックを構成する少なくとも一つの側板を貫通する
ことを特徴とする請求項１又は２に記載のピックアップ装置におけるギアラック取付構造。
【請求項４】
前記リード軸に対して与圧を加える弾性部が前記ギアラックに構成される
ことを特徴とする請求項１〜３の何れか１項に記載のピックアップ装置におけるギアラック取付構造。
【請求項５】
前記弾性部は、
前記ギアラックが前記リード軸に対して与圧が与えられた状態で接触可能とさせるばねと、
前記ばねが装備されるばね装着部と、
前記リード軸の溝に対応する歯部と、
を有して構成される
ことを特徴とする請求項４に記載のピックアップ装置におけるギアラック取付構造。
【発明の詳細な説明】
【技術分野】
【０００１】
本発明は、ピックアップ装置におけるギアラック取付構造に関する。
【背景技術】
【０００２】
例えば薄いメカニズムの構造を有する光ピックアップ装置を実現させるためには、光ピックアップ装置を移動可能に支持するガイド２軸と、光ピックアップ装置を駆動させる送りモータ用のリード軸と、の計３軸が略一直線状に延設されて略平行に並設されたレイアウトを有する構造が必要とされる。
【０００３】
光ピックアップ装置を支持／駆動させるためのガイド２軸ならびにリード軸について記載されたものとして、例えば、発熱部品の性能低下や寿命劣化、誤動作の防止対策が行われた光ピックアップおよびこれを用いたディスク装置というものがある（例えば、特許文献１参照。）。
【０００４】
また、光ピックアップ装置を支持／駆動させるためのガイド軸ならびにリード軸について記載されたものとして、例えば、キャリッジ片寄せばねと、リードスクリュー押えばねとを１本のばねで兼用させることができ、リードスクリュー駆動モータの負荷トルクの変動を少なくできるようにさせたヘッド移動装置というものがある（例えば、特許文献２参照。）。
【先行技術文献】
【特許文献】
【０００５】
【特許文献１】特開２００４−１４５９２１号公報（第１，４頁、第１−７図）
【特許文献２】実開平２−７２４７０号公報（第５頁、第１−５図）
【発明の概要】
【発明が解決しようとする課題】
【０００６】
しかしながら上記従来のヘッド移動装置などのピックアップ装置における構造にあっては、例えばレイアウト等の構造などから、ピックアップ装置がガイド軸等の主軸を中心とした遥動振動を起こし、このことから、ピックアップ装置が各軸上を移動するときに、ピックアップ装置自身が騒音の発生源となることが懸念されていた。
【０００７】
また、騒音を抑えつつ、薄いメカニズムの構造を有する光ピックアップ装置が要求されている。
【０００８】
また、騒音を抑えつつ、安価なメカニズムの構造を有する光ピックアップ装置が要求されている。
【課題を解決するための手段】
【０００９】
上記課題を解決するために、本発明の請求項１に係るピックアップ装置におけるギアラック取付構造は、ピックアップ装置と、前記ピックアップ装置に装備され、前記ピックアップ装置を駆動可能なモータに備えられたリード軸に接するギアラックと、を備えたピックアップ装置におけるギアラック取付構造であって、前記ピックアップ装置に対して止具で固定されることなく前記ピックアップ装置に前記ギアラックが備えられることを特徴とする。
【００１０】
請求項２に係るピックアップ装置におけるギアラック取付構造は、請求項１に記載のピックアップ装置におけるギアラック取付構造おいて、前記ピックアップ装置を構成するハウジングの側壁に、前記ギアラックの側板が接触することを特徴とする。
【００１１】
請求項３に係るピックアップ装置におけるギアラック取付構造は、請求項１又は２に記載のピックアップ装置におけるギアラック取付構造おいて、前記ピックアップ装置を支持するガイド軸を備え、前記ガイド軸が前記ギアラックを構成する少なくとも一つの側板を貫通することを特徴とする。
【００１２】
請求項４に係るピックアップ装置におけるギアラック取付構造は、請求項１〜３の何れか１項に記載のピックアップ装置におけるギアラック取付構造おいて、前記リード軸に対して与圧を加える弾性部が前記ギアラックに構成されることを特徴とする。
【００１３】
請求項５に係るピックアップ装置におけるギアラック取付構造は、請求項４に記載のピックアップ装置におけるギアラック取付構造おいて、前記弾性部は、前記ギアラックが前記リード軸に対して与圧が与えられた状態で接触可能とさせるばねと、前記ばねが装備されるばね装着部と、前記リード軸の溝に対応する歯部と、を有して構成されることを特徴とする。
【発明の効果】
【００１４】
本発明のピックアップ装置におけるギアラック取付構造によれば、騒音の少ないメカニズムを有するピックアップ装置におけるギアラック取付構造の実現が可能となる。
【００１５】
また、騒音を抑えつつ、薄いメカニズムの構造を有するピックアップ装置におけるギアラック取付構造を構成させることが可能となる。
【００１６】
また、止具が不要とされることから、安価なメカニズムの構造を有するピックアップ装置におけるギアラック取付構造を構成させることが可能となる。
【図面の簡単な説明】
【００１７】
【図１】本発明に係るピックアップ装置におけるギアラック取付構造の一実施の形態を示す斜視図である。
【図２】ピックアップ装置におけるギアラック取付構造の一実施の形態を示す平面図である。
【図３】図２の矢視Ａ方向から眺めた図である。
【図４】図３の矢視Ｂ方向から眺めた図である。
【図５】図２の矢視Ｃ方向から眺めた図である。
【図６】図２のＤ−Ｄ断面図である。
【図７】図２の矢視Ｅ方向から眺めた側面図である。
【図８】図２の矢視Ｆ方向から眺めた側面図である。
【発明を実施するための形態】
【００１８】
以下に本発明に係るピックアップ装置におけるギアラック取付構造の一実施の形態を図面に基づいて詳細に説明する。
【００１９】
図１〜図８は、本発明に係るピックアップ装置におけるギアラック取付構造の一実施の形態を示すものである。
【００２０】
ディスク装置の駆動装置組立体を構成する光ピックアップ装置は、例えば、「ＣＤ」（Ｃｏｍｐａｃｔ  Ｄｉｓｃ）(商標)系列／規格のメディアと、「ＤＶＤ」（登録商標）（Ｄｉｇｉｔａｌ  Ｖｅｒｓａｔｉｌｅ  Ｄｉｓｃ）系列／規格のメディアと、「ＨＤ  ＤＶＤ」（Ｈｉｇｈ  Ｄｅｆｉｎｉｔｉｏｎ  ＤＶＤ）（登録商標）系列／規格のメディアと、中国において定められた規格に基づくメディアとされる「ＣＢＨＤ（Ｃｈｉｎａ  Ｂｌｕｅ  Ｈｉｇｈ−Ｄｅｆｉｎｉｔｉｏｎ）」（例：旧名「ＣＨ−ＤＶＤ」）系列／規格のメディアと、「ＢＤ」（Ｂｌｕ−ｒａｙ／Ｂｌｕ−ｒａｙ  Ｄｉｓｃ）（登録商標）系列／規格のメディアと、に対応したものとされる。ディスク装置の駆動装置組立体を構成する光ピックアップ装置は、例えば、上記各種メディアからなる群から選ばれる少なくとも一種のメディアに対応したものとされている。具体的に説明すると、ディスク装置の駆動装置組立体を構成する光ピックアップ装置は、上記複数の何れかのメディアに対応したものとされている。メディア（ｍｅｄｉａ）とは、例えば、データ、情報、信号などが保存されるディスク等を意味する。
【００２１】
メディアとして例えば上記各種光ディスク等が挙げられるが、次の形態をしたメディアも挙げられる。例えば、ディスクとして、ディスク両面に信号面部が設けられ、データ書込み／消去やデータ書換え等が可能とされた光ディスク等も挙げられる。また、ディスクとして、例えば二層の信号面部が設けられ、データ書込み／消去やデータ書換え等が可能とされた光ディスク等も挙げられる。また、例えば三層の信号面部が設けられ、データ書込み／消去やデータ書換え等が可能とされた「ＨＤ  ＤＶＤ」及び／又は「Ｂｌｕ−ｒａｙ／Ｂｌｕ−ｒａｙ  Ｄｉｓｃ」用光ディスク等も挙げられる。また、例えば四層の信号面部が設けられ、データ書込み／消去やデータ書換え等が可能とされた「Ｂｌｕ−ｒａｙ／Ｂｌｕ−ｒａｙ  Ｄｉｓｃ」用光ディスク等も挙げられる。また、例えば光ディスクのレーベル面部の側にレーザ光を照射させてレーベル等の各種書込み等を行うことが可能とされた光ディスク等も挙げられる。光ディスクの信号面部、レーベル面部は、例えば金属薄膜などの薄層等を備えて構成されている。金属薄膜などを備えて構成される信号面部にデータ、情報、信号などが記録され、レーベル面部に画像などが記録される。光ディスクの信号面部は、例えば金属薄層などを備えて構成される信号層として構成されている。このように、各種光ディスクとして各種形態をした複層／多層構造の光ディスクが挙げられる。
【００２２】
このギアラック１０は、例えば、「ＣＤ」（Ｃｏｍｐａｃｔ  Ｄｉｓｃ）（商標）、「ＤＶＤ」（登録商標）（Ｄｉｇｉｔａｌ  Ｖｅｒｓａｔｉｌｅ  Ｄｉｓｃ）、「ＨＤ  ＤＶＤ」（Ｈｉｇｈ  Ｄｅｆｉｎｉｔｉｏｎ  ＤＶＤ）（登録商標）、「ＣＢＨＤ」（Ｃｈｉｎａ  Ｂｌｕｅ  Ｈｉｇｈ−Ｄｅｆｉｎｉｔｉｏｎ）、「ＢＤ」（Ｂｌｕ−ｒａｙ／Ｂｌｕ−ｒａｙ  Ｄｉｓｃ）（登録商標）等として挙げられる各種光ディスク等の各種メディアに記録されたデータ、情報、信号等を再生させたり、書込み可能もしくは書換え可能な各種光ディスク等の各種メディアにデータ、情報、信号等を記録させたり、書込み可能もしくは書換え可能な各種光ディスク等の各種メディアに記録されたデータ、情報、信号等を消去させたりすることのうち少なくとも一つが実行可能なピックアップ装置、ディスク装置等に装備可能とされるギアラック１０とされている。
【００２３】
この光ピックアップ装置におけるギアラック取付構造は、光ドライブ等の光ディスク装置（図示せず）用のメカニズムを構成するものとされ、光ピックアップ装置が移動可能に装備されるガイド２軸（図示せず）と、略円板状の光ディスク（図示せず）の半径方向に略沿って光ピックアップ装置を駆動可能な送りモータ用のリード軸（図示せず）と、の３軸が、略直線状かつ略平行に並ばされたレイアウト構造に適用可能とされる。
【００２４】
光ピックアップ装置におけるギアラック取付構造について詳しく説明すると、この光ピックアップ装置におけるギアラック取付構造は、例えば、各種メディア（図示せず）に対しレーザ光（図示せず）を出射させて各種メディアに記録された情報／データの読み取りが少なくとも可能とされた光ピックアップ装置（図示せず）と、光ピックアップ装置をメディアの一つとされる光ディスクの半径方向に略沿って移動／駆動させる駆動用モータ（図示せず）と、光ピックアップ装置をメディアの一つとされる光ディスクの半径方向に略沿って移動／駆動可能な駆動用モータに備えられた一本のリードスクリュー（図示せず）と、光ピックアップ装置を移動可能に支持すると共に一本のリードスクリューと略平行に配列され且つ複数の略平行に配列されたガイドシャフト（図示せず）と、光ピックアップ装置に装備され、光ピックアップ装置をメディアの一つとされる光ディスクの半径方向に略沿って移動／駆動可能な駆動用モータに備えられたリードスクリューに接するギアラック１０と、を備えて構成される。
【００２５】
このギアラック１０は、光ピックアップ装置の駆動用モータから光ピックアップ装置へ駆動力を伝える役割を果たす例えば金属製ギアラック１０とされている。なお、金属製ギアラック１０に代えて、例えば合成樹脂製ギアラック１０が用いられてもよい。
【００２６】
光ピックアップ装置に対して、固定用ねじ、ビス等の止具で固定されることなく、複数のガイドシャフトを案内用軸として複数のガイドシャフトに対し移動可能な状態で光ピックアップ装置にギアラック１０が備えられる構成としている。例えばギアラック１０の固定構造は、ガイドシャフトの主軸を利用するものとされ、ガイドシャフトの主軸がギアラック１０の一対の側板１１，１２を貫通する構造／方式とされている。ギアラック１０は、光ピックアップ装置に、固定用ねじ、ビス等の止具で固定されずに、ガイドシャフトを案内役とさせて、ガイドシャフトに対し移動可能な状態で光ピックアップ装置に装備される。
【００２７】
ギアラック１０について詳しく説明すると、このギアラック１０は、ガイドシャフトが挿通される貫通孔１１ａが形成された第一側板１１と、第一側板１１と略平行に設けられガイドシャフトが挿通される貫通孔１２ａが形成された第二側板１２と、第一側板１１と第二側板１２とに対して略直交する方向に形成されると共に第一側板１１と第二側板１２とに例えば連成される一組の第三側板１３ａ，１３ｂと、第一側板１１と第二側板１２と第三側板１３ａ，１３ｂとが略直交する方向に例えば曲げられるようにして設けられる基板１４と、例えば基板１４に備えられリードスクリューに対して与圧を加える復元弾性部２０と、を備えて構成されている。
【００２８】
また、この光ピックアップ装置におけるギアラック取付構造においては、光ピックアップ装置を構成するハウジングの少なくとも一方このましくは両方の側壁（図示せず）に、ギアラック１０の少なくとも一方このましくは両方の側板１１／１２が面接触する。ギアラック１０から光ピックアップ装置への「力（ちから）」の伝達は、ハウジングを構成する側壁の側面部を例えばタッチするように面接触されることで行われる。
【００２９】
例えば、ギアラック１０の第一側板１１の内側面部１１ｂが、光ピックアップ装置を構成するハウジングの第一側壁に接する。また／または、例えば、ギアラック１０の第二側板１２の内側面部１２ｂが、光ピックアップ装置を構成するハウジングの第二側壁に接する。
【００３０】
また、この光ピックアップ装置におけるギアラック取付構造は、例えば、光ピックアップ装置を移動可能に支持すると共に、一本のリードスクリューと略平行に配列され且つ二本の略平行に配列されたガイドシャフトを備えて構成される。一本の主軸のガイドシャフトがギアラック１０を構成する少なくとも一つ好ましくは二つの側板１１／１２を貫通する。
【００３１】
詳しく説明すると、ギアラック１０の第一側板１１に、主軸のガイドシャフトが移動可能に挿通される貫通孔１１ａが設けられ、ギアラック１０の第一側板１１と略平行に位置するギアラック１０の第二側板１２に、主軸のガイドシャフトが移動可能に挿通される貫通孔１２ａが設けられている。例えばギアラック１０が嵌め合わせられる主軸のガイドシャフトの延長線上からギアラック１０が側面視されたときに、ギアラック１０の第一側板１１の貫通孔１１ａと、ギアラック１０の第二側板１２の貫通孔１２ａと、が略一致する。そのように構成されたギアラック１０において、第一側板１１の貫通孔１１ａと、第二側板１２の貫通孔１２ａと、に、一本の主軸のガイドシャフトが通される。
【００３２】
また、この光ピックアップ装置におけるギアラック取付構造においては、リードスクリューに対して与圧を加える復元弾性部２０がギアラック１０に構成される。復元弾性部２０がギアラック１０に構成されることにより、ギアラック１０は、確実にリードスクリューに接する。
【００３３】
また、この光ピックアップ装置におけるギアラック取付構造においては、復元弾性部２０は、ギアラック１０がリードスクリューに対して与圧が与えられた状態で接触可能とさせる圧縮コイルばね（図示せず）と、圧縮コイルばねが装備されるばね装着部２６と、リードスクリューの一本のリード所定ピッチの螺旋溝に入り込むように対応する形状とされリード所定ピッチ間隔で配列された複数このましくは二つのラック歯部２８，２９と、を有して構成される。
【００３４】
ギアラック１０を構成する復元弾性部２０について詳しく説明すると、復元弾性部２０は、ギアラック１０を構成する第三側板１３ａ，１３ｂに略平行とされると共にギアラック１０を構成する基板１４が略直角に折り曲げられるようにして延長形成された略板状の第一部材２１と、略板状の第一部材２１に略平行に形成された略板状の第二部材２２と、略板状の第一部材２１と略板状の第二部材２２とを繋ぐと共に略板状の第一部材２１と略板状の第二部材２２とに対して略直角に形成され且つギアラック１０を構成する基板１４に対して略平行に形成された弾性特性を有する一対の略板状の第三部材２３ａ，２３ｂと、を有する例えば側面視略凹状の本体部２５を備えて構成されている。なお、この明細書における「側面視」とは、例えばギアラック１０が嵌め合わせられる主軸のガイドシャフトの延長線上からギアラック１０の側面を眺めた場合を意味する。
【００３５】
また、復元弾性部２０は、略板状の第一部材２１と、リードスクリューに略向けて略板状の第一部材２１の略中央に立設された略円柱状の第一ばね取付部２６ａと、略板状の第一部材２１に略平行に形成された略板状の第二部材２２と、略円柱状の第一ばね取付部２６ａに対向し主軸のカイドシャフトに略向けて略板状の第二部材２２の略中央に立設された略円柱状の第二ばね取付部２６ｂと、略板状の第一部材２１と略板状の第二部材２２とを繋ぎ弾性特性を有する一対の略板状の第三部材２３ａ，２３ｂと、を有する例えば側面視略Ｔ溝状のばね装着部２６を備えて構成されている。
【００３６】
また、復元弾性部２０は、略板状の第二部材２２と、略板状の第二部材２２に対して略直角に延設され且つギアラック１０を構成する基板１４ならびに一対の略板状の第三部材２３ａ，２３ｂに対して略平行に形成されリードスクリューに対する案内部材の役割を果たす略板状の第四部材２４と、ギアラック１０を構成する略板状の第四部材２４の外側に略向けて傾斜立設された略直方体状の第一歯部２８ならびに第二歯部２９と、を有する例えば側面視略Ｌ字状のリードスクリュー接触部２７を備えて構成されている。
【００３７】
また、復元弾性部２０は、リードスクリューに略向けて略板状の第一部材２１の略中央に立設された略円柱状の第一ばね取付部２６ａと、略円柱状の第一ばね取付部２６ａに対向し主軸のカイドシャフトに略向けて略板状の第二部材２２の略中央に立設された略円柱状の第二ばね取付部２６ｂと、に略湾曲状内側が嵌め合わせられて装着される例えば略螺旋状線状体形状の金属製圧縮コイルばねを備えて構成される。
【００３８】
与圧を与える圧縮コイルばねについては、例えば、駆動用モータに備えられたリードスクリューの中心軸に略直交（略９０度の角度）する中心軸に圧縮コイルばねの中心軸が位置し、且つ、ギアラック１０のラック歯部２８／２９の先端面部２８ａ／２９ａに対し略直交（略９０度）する角度に圧縮コイルばねの中心軸が位置するレイアウトにすることで、圧縮コイルばねの荷重がもたらすガイドシャフトの主軸まわりのモーメントを大きくさせ、これに伴ってガイドシャフトの副軸での光ピックアップ装置のがたつき抑えの役割を果たすこととさせ、その結果、光ピックアップ装置がガイドシャフトの主軸を中心とした遥動振動を起こさないようにしている。
【００３９】
上記光ピックアップ装置におけるギアラック取付構造を構成させることにより、騒音が少なく品位の高いメカニズムを有する光ピックアップ装置におけるギアラック取付構造の実現が可能となる。
【００４０】
また、騒音を抑えつつ、薄いメカニズムの構造を有する光ピックアップ装置におけるギアラック取付構造を構成させることが可能となる。
【００４１】
また、固定用ねじ、ビス等の止具が不要とされることから、安価なメカニズムの構造を有する光ピックアップ装置におけるギアラック取付構造を構成させることが可能となる。
【符号の説明】
【００４２】
１０            ギアラック
１１            第一側板（側板）
１２            第二側板（側板）
２０            復元弾性部（弾性部）
２６            ばね装着部
２８            第一歯部（歯部）
２９            第二歯部（歯部）
【図１】
2012190508.tif 000003
【図２】
2012190508.tif 000004
【図３】
2012190508.tif 000005
【図４】
2012190508.tif 000006
【図５】
2012190508.tif 000007
【図６】
2012190508.tif 000008
【図７】
2012190508.tif 000009
【図８】
2012190508.tif 000010